(57)【要約】【課題】各部分が分離可能であるとともに全体が緩みなくまとまり、かつ多様なデザインと色の組み合わせを実現することができる履物を提供する。【解決手段】ソール・ホルダーアセンブリ１１は、ソールアセンブリ１１１と、ソールアセンブリ１１１を下側からカバーするホルダー部１１２とを有している。ソールアセンブリ１１１は、第１のソール部１１１１と、第２のソール部１１１２と、それらを留めるピン１１１３とを有している。第１のソール部１１１１と第２のソール部１１１２とは互いに係合する形状を有し、それらが互いに係合した状態で、第１のソール部１１１１の少なくとも一部分が第２のソール部１１１２の少なくとも一部分の上側に接するように位置し、第２のソール部１１１２の少なくとも一部分が第１のソール部１１１１の少なくとも一部分の上側に接するように位置する【選択図】図１
2011136111.tif 000002
【特許請求の範囲】
【請求項１】
第１のソール部と第２のソール部とを有するソールアセンブリを備える履物であって、
前記第１のソール部と前記第２のソール部とは互いに係合する形状を有し、
前記第１のソール部と前記第２のソール部とが互いに係合した状態で、前記第１のソール部の少なくとも一部分が前記第２のソール部の少なくとも一部分の上側に接するように位置し、前記第２のソール部の少なくとも一部分が前記第１のソール部の少なくとも一部分の上側に接するように位置する
構造を備える履物。
【請求項２】
前記第１のソール部は上下方向に貫通する孔を有し、
前記第２のソール部が前記孔を貫通し、前記第２のソール部の爪先側の部分の少なくとも一部が前記第１のソール部の下側に接するように位置し、前記第２のソール部の踵側の部分の少なくとも一部が前記第１のソール部の上側に接するように位置した状態で、前記第１のソール部と前記第２のソール部が係合する
構造を備える請求項１に記載の履物。
【請求項３】
前記第１のソール部の前記孔を取り囲む内側面と前記第２のソール部の爪先側の外側面とが互いに係合する
構造を備える請求項２に記載の履物。
【請求項４】
前記第２のソール部は上下方向に貫通する孔を有し、
前記第１のソール部が前記孔を貫通し、前記第１のソール部の踵側の部分の少なくとも一部が前記第２のソール部の下側に接するように位置し、前記第１のソール部の爪先側の部分の少なくとも一部が前記第２のソール部の上側に接するように位置した状態で、前記第１のソール部と前記第２のソール部が係合する
構造を備える請求項１に記載の履物。
【請求項５】
前記第２のソール部の前記孔を取り囲む内側面と前記第１のソール部の爪先側の外側面とが互いに係合する
構造を備える請求項４に記載の履物。
【請求項６】
前記ソールアセンブリを下側からカバーするホルダー部を備え、
前記ソールアセンブリと前記ホルダー部とは互いに係合する
構造を備える請求項１乃至５のいずれかに記載の履物。
【請求項７】
前記ホルダー部の前記ソールアセンブリと係合する部分は、前記ソールアセンブリの前記ホルダー部と係合する部分と比較して硬い
請求項６に記載の履物。
【請求項８】
前記ソールアセンブリは、前記第１のソール部と前記第２のソール部とを土踏まず部分において上下方向に貫通するピンを有し、
前記ピンは、前記第１のソール部と前記第２のソール部とが前後方向にずれることを防止する
請求項１乃至７のいずれかに記載の履物。
【請求項９】
前記ホルダー部は上下方向に貫通する孔を有し、
前記ソールアセンブリの一部が前記ホルダー部の孔を貫通するように突出する突出部を有し、
前記突出部が前記履物のアウターソールを構成する
請求項１乃至８のいずれかに記載の履物。
【請求項１０】
前記第１のソール部および前記第２のソール部の少なくとも一方は、第１の素材のインナーソールと、前記第１の素材と異なる第２の素材のアウターソールとを有する
請求項１乃至９のいずれかに記載の履物。
【請求項１１】
前記第１のソール部と前記第２のソール部とが互いに係合している状態において、前記第１のソール部が前記第２のソール部と接する部分と、前記第２のソール部が前記第１のソール部と接する部分との少なくとも一方に、凹凸が設けられており、
前記凹凸は、前記第１のソール部と前記第２のソール部とが左右方向もしくは上下方向にずれることを防止する
請求項１乃至１０のいずれかに記載の履物。
【請求項１２】
甲皮部を備え、
前記甲皮部は、前記第１のソール部から上方に延伸する第１のパーツと、前記第２のソール部から上方に延伸する第２のパーツと、前記第１のパーツと前記第２のパーツとを互いに着脱可能に連結する連結機構とを有する
請求項１乃至１１のいずれかに記載の履物。
【発明の詳細な説明】
【技術分野】
【０００１】
本発明は、履物に関し、特に組み立て式の履物に関する。
【背景技術】
【０００２】
一般的な履物は、甲皮の部分と、インナーソールの部分と、アウターソールの部分とが全て固定されて成形されている。したがって、単一の履物のデザインや色をユーザが自由に変えることは一般的には不可能である。
【０００３】
ユーザは、複数の履物を所有することによって、その都度、着る服や持ち運ぶ鞄等のデザインや色に合わせて一つの履物を選び出して使用しているのが現状である。
【０００４】
そのような課題に対して、以下のような解決手段が開示されている。例えば、特許文献１の分離可能なシューズは、甲皮の部分とその他の部分とを分離可能とすることにより、甲皮の部分のみを交換することで複数の履物を所有するのと同様の効果を実現している。
【０００５】
また、特許文献２の組み立て式サンダルは、甲掛帯の部分と、インナーソールの部分と、アウターソールの部分とを分離可能とすることにより、サンダルを長く使えるようにするともに、デザインや色の組み合わせによるファッション性を高めている。
【０００６】
また、特許文献３のモジュール式靴構造は、接着剤なしで互いに固定することが可能な履物の構造を提供している。当該構造は、屋内で使用する履物と屋外で使用する履物とを組み合わせる等、履物の多様な使用方法を実現している。
【先行技術文献】
【特許文献】
【０００７】
【特許文献１】特表２００９−５１２４７１号公報
【特許文献２】実登３０４５０３１号公報
【特許文献３】特開２００８−１７８６８７号公報
【発明の概要】
【発明が解決しようとする課題】
【０００８】
上述した従来技術においては、履物の各部分を分離可能としたために、当該履物が全体としてしっかり緩みなくまとまるということが困難であった。すなわち、履物にはユーザの体重がかかるため、応力のかかり方によっては履物が分解するおそれがある。
【０００９】
また、従来技術においては、履物の各部分の組み合わせによって様々なデザインおよび色を楽しむことができるが、当該各部分の構造に新しい工夫を施すことによって従来技術にはなかったような、より多くのデザインおよび色の組み合わせを実現できる可能性がある。
【００１０】
そこで、本発明は、各部分が分離可能であるとともに全体が緩みなくまとまり、かつ多様なデザインと色の組み合わせを実現することができる履物を提供することを目的とする。
【課題を解決するための手段】
【００１１】
本発明は、上記の目的に鑑みて想到されたものであり、
第１のソール部と第２のソール部とを有するソールアセンブリを備える履物であって、
前記第１のソール部と前記第２のソール部とは互いに係合する形状を有し、
前記第１のソール部と前記第２のソール部とが互いに係合した状態で、前記第１のソール部の少なくとも一部分が前記第２のソール部の少なくとも一部分の上側に接するように位置し、前記第２のソール部の少なくとも一部分が前記第１のソール部の少なくとも一部分の上側に接するように位置する
構造を備える履物
を提供する（第１の実施態様）。
【００１２】
また、上記の第１の実施態様において、
前記第１のソール部は上下方向に貫通する孔を有し、
前記第２のソール部が前記孔を貫通し、前記第２のソール部の爪先側の部分の少なくとも一部が前記第１のソール部の下側に接するように位置し、前記第２のソール部の踵側の部分の少なくとも一部が前記第１のソール部の上側に接するように位置した状態で、前記第１のソール部と前記第２のソール部が係合する
構成を採用してもよい（第２の実施態様）。
【００１３】
また、上記の第２の実施態様において、
前記第１のソール部の前記孔を取り囲む内側面と前記第２のソール部の爪先側の外側面とが互いに係合する
構成を採用してもよい（第３の実施態様）。
【００１４】
また、上記の第１の実施態様において、
前記第２のソール部は上下方向に貫通する孔を有し、
前記第１のソール部が前記孔を貫通し、前記第１のソール部の踵側の部分の少なくとも一部が前記第２のソール部の下側に接するように位置し、前記第１のソール部の爪先側の部分の少なくとも一部が前記第２のソール部の上側に接するように位置した状態で、前記第１のソール部と前記第２のソール部が係合する
構成を採用してもよい（第４の実施態様）。
【００１５】
また、上記の第４の実施態様において、
前記第２のソール部の前記孔を取り囲む内側面と前記第１のソール部の爪先側の外側面とが互いに係合する
構成を採用してもよい（第５の実施態様）。
【００１６】
また、上記の第１乃至５のいずれかの実施態様において、
前記ソールアセンブリを下側からカバーするホルダー部を備え、
前記ソールアセンブリと前記ホルダー部とは互いに係合する
構成を採用してもよい（第６の実施態様）。
【００１７】
また、上記の第６の実施態様において、
前記ホルダー部の前記ソールアセンブリと係合する部分は、前記ソールアセンブリの前記ホルダー部と係合する部分と比較して硬い
構成を採用してもよい（第７の実施態様）。
【００１８】
また、上記の第１乃至７のいずれかの実施態様において、
前記ソールアセンブリは、前記第１のソール部と前記第２のソール部とを土踏まず部分において上下方向に貫通するピンを有し、
前記ピンは、前記第１のソール部と前記第２のソール部とが前後方向にずれることを防止する
構成を採用してもよい（第８の実施態様）。
【００１９】
また、上記の第１乃至８のいずれかの実施態様において、
前記ホルダー部は上下方向に貫通する孔を有し、
前記ソールアセンブリの一部が前記ホルダー部の孔を貫通するように突出する突出部を有し、
前記突出部が前記履物のアウターソールを構成する
構成を採用してもよい（第９の実施態様）。
【００２０】
また、上記の第１乃至９のいずれかの実施態様において、
前記第１のソール部および前記第２のソール部の少なくとも一方は、第１の素材のインナーソールと、前記第１の素材と異なる第２の素材のアウターソールとを有する
構成を採用してもよい（第１０の実施態様）
【００２１】
また、上記の第１乃至１０のいずれかの実施態様において、
前記第１のソール部と前記第２のソール部とが互いに係合している状態において、前記第１のソール部が前記第２のソール部と接する部分と、前記第２のソール部が前記第１のソール部と接する部分との少なくとも一方に、凹凸が設けられており、
前記凹凸は、前記第１のソール部と前記第２のソール部とが左右方向もしくは上下方向にずれることを防止する
構成を採用してもよい（第１１の実施態様）。
【００２２】
また、上記の第１乃至１１のいずれかの実施態様において、
甲皮部を備え、
前記甲皮部は、前記第１のソール部から上方に延伸する第１のパーツと、前記第２のソール部から上方に延伸する第２のパーツと、前記第１のパーツと前記第２のパーツとを互いに着脱可能に連結する連結機構とを有する
構成を採用してもよい（第１２の実施態様）。
【発明の効果】
【００２３】
本発明の第１の実施態様にかかる履物によれば、各部分が分離可能であるとともに全体が緩みなくまとまり、かつ多様なデザインと色の組み合わせを実現することが可能である。
【００２４】
本発明の第２の実施態様にかかる履物によれば、組み立てが容易であるとともにソールアセンブリがよりしっかりと緩みなくまとまる。
【００２５】
本発明の第３の実施態様にかかる履物によれば、やはり組み立てが容易であるとともにソールアセンブリがよりしっかりと緩みなくまとまる。
【００２６】
本発明の第４の実施態様にかかる履物によれば、やはり組み立てが容易であるとともにソールアセンブリがよりしっかりと緩みなくまとまる。
【００２７】
本発明の第５の実施態様にかかる履物によれば、やはり組み立てが容易であるとともにソールアセンブリがよりしっかりと緩みなくまとまる。
【００２８】
本発明の第６の実施態様にかかる履物によれば、ホルダー部の存在が全体をしっかりと緩みなくまとめるとともに、多様なデザインおよび色の組み合わせを楽しむことが可能である。
【００２９】
本発明の第７の実施態様にかかる履物によれば、ホルダー部とソールアセンブリとの係合が容易に外れない。
【００３０】
本発明の第８の実施態様にかかる履物によれば、ピンによって第１のソール部と第２のソール部との主に前後方向のずれを防止することが可能である。
【００３１】
本発明の第９の実施態様にかかる履物によれば、好適な素材のアウターソールを選択できるとともに、アウターソールを含めた多様なデザインおよび色の組み合わせ楽しむことが可能である。
【００３２】
本発明の第１０の実施態様にかかる履物によれば、インナーソールおよびアウターソールの素材の好適な組み合わせを選択することができ、結果として、組み立てやすさ、履き心地のよさ、アウターソールのグリップ性能、アウターソールの過剰な摩耗の防止、全体としての過剰な変形の防止等を実現することができる。
【００３３】
本発明の第１１の実施態様にかかる履物によれば、第１のソール部と第２のソール部との主に左右方向もしくは上下方向のずれを防止することが可能である。
【００３４】
本発明の第１２の実施態様にかかる履物によれば、甲皮部に高さを持つ例えばブーツ等の靴を構成した際に、甲皮部を構成する第１のソール部の上側に設けられた部分と、第２のソール部の上側に設けられた部分とが互いに分離することにより生じる不便が回避される。
【図面の簡単な説明】
【００３５】
【図１】図１は、組み立てる前の本発明の実施形態にかかるソール・ホルダーアセンブリを示す図である。
【図２】図２は、本発明の実施形態にかかる靴の組み立て方法の一例を説明する図である。
【図３】図３は、本発明の実施形態にかかる靴を前後方向に垂直な平面で切った場合の断面図等である。
【図４】図４は、本発明の実施形態にかかる靴を前後方向に垂直な平面で切った場合の断面図等である。
【図５】図５は、本発明の実施形態の変形例にかかる靴を説明する図である。
【図６】図６は、本発明の実施形態にかかる靴と当該実施形態の一変形例にかかる靴との違いを説明する図である。
【発明を実施するための形態】
【００３６】
（実施形態）
以下、本発明の一具体例である実施形態について、図面を用いて説明する。なお、本実施形態においては、履物の一例として靴１について説明する。
【００３７】
靴１は、ユーザが足を載せるソール・ホルダーアセンブリ１１と、ソール・ホルダーアセンブリ１１の側端部から延伸しユーザの足の甲等を覆う甲皮部１２とを備えている。
【００３８】
図１は、組み立てる前の本実施形態にかかるソール・ホルダーアセンブリ１１を示す図である。
【００３９】
ソール・ホルダーアセンブリ１１は、ソールアセンブリ１１１と、ソールアセンブリ１１１を下側からカバーするホルダー部１１２とを有している。
【００４０】
ソールアセンブリ１１１は、第１のソール部１１１１と、第２のソール部１１１２と、第１のソール部１１１１と第２のソール部１１１２とを留めるピン１１１３とを有している。
【００４１】
第１のソール部１１１１は、第１のインナーソール１１１１１と、第１のアウターソール１１１１２とを有している。
【００４２】
第２のソール部１１１２は、第２のインナーソール１１１２１と、第２のアウターソール１１１２２とを有している。
【００４３】
第１のインナーソール１１１１１は、例えば、エチレン酢酸ビニルコポリマー（以下、「ＥＶＡ」という）で作られている。ＥＶＡは、比較的柔らかい素材なので、後述のようにソールアセンブリ１１１を組み立てる際に便利であると同時に、第１のインナーソール１１１１１は足の裏に触れる部分でもあるため、ある程度柔らかいことが望ましいことからＥＶＡが採用されている。
【００４４】
第１のインナーソール１１１１１の爪先側の付近には、例えば、上下方向に貫通する孔が設けられている。
【００４５】
第１のインナーソール１１１１１は、例えば、当該孔を取り囲む部分と、第２のソール部１１１２の一部分を載せるための円盤形状を有する部分とを有している。
【００４６】
使用時には、例えば、当該孔を取り囲む部分が爪先側にきて、当該円盤形状を有する部分が踵側にくる。
【００４７】
第１のアウターソール１１１１２は、例えば、ゴムで作られている。上述のように第１のインナーソール１１１１１が比較的柔らかいＥＶＡで作られているため、第１のアウターソール１１１１２を比較的硬いゴムで作ることによって、靴１全体の変形およびアウターソールの過剰な摩耗を防止している。
【００４８】
第１のアウターソール１１１１２は、略半円形状を有する板状の部材である。
【００４９】
第１のアウターソール１１１１２の上側は、例えば、接着剤によって第１のインナーソール１１１１１の踵側の下側に接着される。
【００５０】
第１のアウターソール１１１１２の下側は、使用時に地面に接する部分が凹凸を有しており、前後左右方向に強い摩擦力を有する。
【００５１】
第２のインナーソール１１１２１は、例えば、ＥＶＡで作られている。ＥＶＡは、比較的柔らかい素材なので、後述のようにソールアセンブリ１１１を組み立てる際に便利であると同時に、第２のインナーソール１１１２１は足の裏に触れる部分でもあるため、ある程度柔らかいことが望ましいことからＥＶＡが採用されている。
【００５２】
第２のインナーソール１１１２１は、第１のソール部１１１１の上に載る円盤形状を有する部分と、当該円盤形状を有する部分から延伸する胴体が膨らんだひょうたんのような板材の部分とを有し、上から見たときに全体として中心がくびれた板材の構成を有している。
【００５３】
使用時には、上述の円盤形状を有する部分が踵側にきて、上述のひょうたんのような板材の部分が爪先側にくる。
【００５４】
第２のアウターソール１１１２２は、例えば、ゴムで作られている。上述のように第２のインナーソール１１１２１が比較的柔らかいＥＶＡで作られているため、第２のアウターソール１１１２２を比較的硬いゴムで作ることによって、靴１全体の変形およびアウターソールの過剰な摩耗を防止している。
【００５５】
第２のアウターソール１１１２２は、略楕円形状を有する板状の部材である。
【００５６】
第２のアウターソール１１１２２の上側の中心付近は、例えば、接着剤によって第２のインナーソール１１１２１の下側に接着される。
【００５７】
第２のアウターソール１１１２２は、上から見たときに、第２のインナーソール１１１２１よりも広い領域をカバーしている。
【００５８】
第２のアウターソール１１１２２の下側は、使用時に地面に接する部分が凹凸を有しており、前後左右方向に強い摩擦力を有する。
【００５９】
第１のソール部１１１１と第２のソール部１１１２とが係合する際には、第１のインナーソール１１１１１が有する孔に対して、上側から第２のソール部１１１２の爪先側が入り込んで、第１のインナーソール１１１１１における孔を取り囲む部分が、第２のインナーソール１１１２１のひょうたんのような板材の部分と係合すると同時に、第２のアウターソール１１１２２の上に載る。
【００６０】
そして、第２のインナーソール１１１２１における円盤形状を有する部分が、第１のインナーソール１１１１１の円盤形状を有する部分の上に載る。
【００６１】
その結果として、第２のソール部１１１２が第１のソール部１１１１の有する孔を貫通し、第２のソール部の爪先側の部分の少なくとも一部が第１のソール部１１１１の下側に接するように位置し、第２のソール部１１１２の踵側の部分の少なくとも一部が第１のソール部１１１１の上側に接するように位置した状態で、第１のソール部１１１１と第２のソール部１１１２とが係合することとなる。
【００６２】
この場合、第１のソール部１１１１の有する孔を取り囲む内側面と第２のソール部１１１２の爪先側の外側面とが互いに係合する。
【００６３】
このような構造を有することにより、ユーザが足をソールアセンブリ１１１の上に載せた場合、爪先側では第１のソール部１１１１が第２のソール部１１１２を上側から下側へ押さえつけ、踵側では第２のソール部１１１２が第１のソール部１１１１を上側から下側へ押さえつけ、全体として緩みのないしっかりとまとまったソールアセンブリ１１１が構成される。
【００６４】
第１のインナーソール１１１１１および第２のアウターソール１１１２２において、爪先側から踵側に向かう方向（以下、「前後方向」という）の中心付近（土踏まず部分）の左右両側には、当該左右のそれぞれに対して第１のソール部１１１１と第２のソール部１１１２とを連結するピン１１１３を通すための孔が上下方向に貫通している。
【００６５】
ピン１１１３は、皿部および軸部を有しており、１つのソールアセンブリ１１１に対して２個用いられる。ピン１１１３の存在は、使用時に第１のソール部１１１１と第２のソール部１１１２とが、主に前後方向に相互に移動し、ずれることを防止する。ピン１１１３は土踏まず部分に配置されているため、ユーザの足から直接、下方への押圧を受けることがない。そのため、靴１の使用に伴いピン１１１３が変形し破損する、といったリスクが少ない。
【００６６】
なお、ピン１１１３を第１のソール部１１１１および第２のソール部１１１２に貫通した状態で、ピン１１１３の先端付近を支持するストッパーが設けられてもよい。
【００６７】
また、第１のソール部１１１１と第２のソール部１１１２とが互いに係合している状態において、第１のソール部１１１１が第２のソール部１１１２と接する部分、および第２のソール部１１１２が第１のソール部１１１１と接する部分には、例えば水平方向に凹凸が設けられており、当該凹凸は第１のソール部１１１１と第２のソール部１１１２とが左右方向もしくは上下方向にずれることを防止する。
【００６８】
ホルダー部１１２は、熱可塑性ウレタン樹脂（以下、「ＴＰＵ」という）で作られている。
【００６９】
ホルダー部１１２のソールアセンブリ１１１と係合する部分は、ソールアセンブリ１１１のホルダー部１１２と係合する部分と比較して硬い。その結果として、ホルダー部１１２とソールアセンブリ１１１とが係合して、ソール・ホルダーアセンブリ１１が完成した場合に、ホルダー部１１２とソールアセンブリ１１１とが容易に外れないという利点を有する。
【００７０】
ホルダー部１１２の底面には、上下方向に貫通する複数の孔があいている。当該孔の存在により、第１のアウターソール１１１１２および第２のアウターソール１１１２２の一部分が、直接地面と接することとなる。
【００７１】
以上のような構成を有する靴１の組み立て方法の一例を、図面を用いて説明する。図２は、本実施形態にかかる靴１の組み立て方法の一例を説明する図である。
【００７２】
先ず、第１のソール部１１１１と、第２のソール部１１１２とが用意されている。第１のソール部１１１１および第２のソール部１１１２の各々には、甲皮部１２が取り付けられている。
【００７３】
第１のソール部１１１１が有する孔に、上側から第２のソール部１１１２の爪先側を挿入する。そして、第２のソール部１１１２の中間付近にあるくびれた部分を、第１のソール部１１１１が有する孔を取り囲む部分にはめ込む。
【００７４】
その状態で、第１のソール部１１１１に対して第２のソール部１１１２を、上述のくびれた部分を中心として回転させ、第１のソール部１１１１と第２のソール部１１１２とを係合させる。
【００７５】
具体的には、第１のインナーソール１１１１１における孔を取り囲む部分（すなわち、爪先側の部分）が、第２のインナーソール１１１２１と係合すると同時に第２のアウターソール１１１２２の上に載るようにする。そして、第２のインナーソール１１１２１の円盤形状を有する部分（すなわち、踵側の部分）が、第１のインナーソール１１１１１の円盤形状を有する部分の上に載るようにする。
【００７６】
次に、上側から左右２個のピン１１１３を、第１のインナーソール１１１１１および第２のアウターソール１１１２２が有する孔に貫通させる。そして、２個のピン１１１３の先端付近を上述のストッパーで支持する。これにより、甲皮部１２が付いたソールアセンブリ１１１が完成する。
【００７７】
その状態のソールアセンブリ１１１を下側からカバーするように、ホルダー部１１２でホールドする。上述したように、ソールアセンブリ１１１とホルダー部１１２との係合部分においては、ホルダー部１１２の方が硬いので、両者が係合されると容易に外れることがない。これにより、甲皮部１２が付いたソール・ホルダーアセンブリ１１、すなわち靴１が完成する。
【００７８】
なお、上述したように、ホルダー部１１２が有する孔から第１のアウターソール１１１１２および第２のアウターソール１１１２２の一部分が突出し、当該突出部が靴１のアウターソールを構成するため、靴１のグリップ性能は高いものとなっている。また、第１のアウターソール１１１１２および第２のアウターソール１１１２２は、ゴムで作られているため、アウターソールの過剰な摩耗が防止される。
【００７９】
また、第１のソール部１１１１と第２のソール部１１１２との係合は、極めて容易に行うことが可能であり、またピン１１１３および上述のストッパーの着脱も容易であり、結果として、靴１の組み立ては簡単に行うことができる。
【００８０】
したがって、ユーザは、第１のソール部１１１１、第２のソール部１１１２、およびホルダー部１１２の色およびデザインの組み合わせを、気軽に変えることが可能である。
【００８１】
次に、完成した状態の靴１における第１のソール部１１１１と第２のソール部１１１２との係合状態を、図面を用いて説明する。
【００８２】
図３および図４は、靴１を前後方向に垂直な平面で切った場合の断面図等を表している。なお、図３および図４の靴１は、図１および図２の靴１とは若干異なる構成を有しているが、説明上問題がない程度の差異であるため、当該差異の説明は割愛する。
【００８３】
爪先側から見ていくと、ＢＢ’矢視断面図においては、第１のインナーソール１１１１１が、第２のインナーソール１１１２１に係合すると同時に第２のアウターソール１１１２２の上に載っている状態が示されている。
【００８４】
次に、ＣＣ’矢視断面図においては、ＢＢ’矢視断面図と比較して、甲皮部１２が高くはなっているが、第１のインナーソール１１１１１と第２のインナーソール１１１２１との係合状態は、略同様である。
【００８５】
さらに、ＤＤ’矢視断面図においては、第２のインナーソール１１１２１は、中央のくびれた部分を表しており、その左右にはピン１１１３および上述のストッパーが見えている。
【００８６】
最後に、ＥＥ’矢視断面図においては、第１のソール部１１１１の踵側の円盤形状を有する部分の上に、第２のソール部１１１２の踵側の円盤形状を有する部分が載っている。
【００８７】
上述した実施形態は、本発明の技術的思想の範囲内において様々に変形が可能である。
【００８８】
例えば、靴１は甲皮部１２を備えるものとしたが、甲皮部１２を備えないサンダルのようなものが採用されてもよい。
【００８９】
また、ソール・ホルダーアセンブリ１１には２個のピン１１１３が用いられるものとしたが、その数はそれに限られず、例えば３個もしくは１個でもよいし、特に問題がなければピン１１１３が用いられなくてもよい。上述のストッパーも同様である。靴１の組み立てを容易に行えることが、本発明の重要なポイントだからである。
【００９０】
また、第１のソール部１１１１は、第１のインナーソール１１１１１と第１のアウターソール１１１１２とを有するものとしたが、インナーソールの部分とアウターソールの部分とが一体成形されてもよい。
【００９１】
また、第２のソール部１１１２は、第２のインナーソール１１１２１と第２のアウターソール１１１２２とを有するものとしたが、インナーソールの部分とアウターソールの部分とが一体成形されてもよい。
【００９２】
また、第１のインナーソール１１１１１はＥＶＡで作られており、第１のアウターソール１１１１２はゴムで作られているものとしたが、特に問題がなければ、それらの素材はいかなるものであってもよい。したがって、例えば、第１のインナーソール１１１１１および第１のアウターソール１１１１２の両方がＥＶＡで作られてもよい。
【００９３】
また、第１のインナーソール１１１１１の爪先側の付近には上下方向に貫通する孔が設けられているものとしたが、本発明はこれに限定されるものではない。
【００９４】
すなわち、第１のソール部１１１１と第２のソール部１１１２とが互いに係合する形状を有し、第１のソール部１１１１と第２のソール部１１１２とが互いに係合した状態で、第１のソール部１１１１の少なくとも一部分が第２のソール部１１１２の少なくとも一部分の上側に接するように位置し、第２のソール部１１１２の少なくとも一部分が第１のソール部１１１１の少なくとも一部分の上側に接するように位置するならば、第１のソール部１１１１および第２のソール部１１１２はいかなる形状を有してもよい。
【００９５】
したがって、第１のインナーソール１１１１１とともに、第１のアウターソール１１１１２、第２のインナーソール１１１２１、および第２のアウターソール１１１２２も、上述した形状に限定されるものではない。
【００９６】
また、第１のアウターソール１１１１２の上側は接着剤によって第１のインナーソール１１１１１の踵側の下側に接着されるものとしたが、他のいかなる方法によって両者が連結されてもよい。
【００９７】
また、第１のアウターソール１１１１２の下側は使用時に地面に接する部分が凹凸を有するものとしたが、本発明はこれに限定されるものではない。したがって、当該部分に凹凸がなくてもよい。
【００９８】
また、第２のインナーソール１１１２１はＥＶＡで作られており、第２のアウターソール１１１２２はゴムで作られているものとしたが、特に問題がなければ、それらの素材はいかなるものであってもよい。したがって、第２のインナーソール１１１２１および第２のアウターソール１１１２２の両方がＥＶＡで一体成形により作られてもよい。
【００９９】
また、第２のアウターソール１１１２２の上側の中心付近は接着剤によって第２のインナーソール１１１２１の下側に接着されるものとしたが、他のいかなる方法によって両者が連結されてもよい。
【０１００】
また、第２のアウターソール１１１２２の下側は使用時に地面に接する部分が凹凸を有するものとしたが、本発明はこれに限定されるものではない。したがって、当該部分に凹凸がなくてもよい。
【０１０１】
また、第１のインナーソール１１１１１および第２のアウターソール１１１２２において前後方法の中心付近の左右両側にはピン１１１３を通すための孔が上下方向に貫通しているものとしたが、上述のようにピン１１１３自体が設けられない構成の場合には、当該孔も設けられない。
【０１０２】
また、ピン１１１３は、皿部および軸部を有するものとしたが、特に問題がなければ、いかなる形状を有してもよい。上述のストッパーも、特に問題がなければ、いかなる形状を有してもよい。
【０１０３】
また、第１のソール部１１１１と第２のソール部１１１２とが互いに係合している状態において第１のソール部１１１１が第２のソール部１１１２と接する部分、および第２のソール部１１１２が第１のソール部１１１１と接する部分には凹凸が設けられているものとしたが、特に問題がなければ、当該凹凸は設けられなくてもよい。
【０１０４】
また、ホルダー部１１２は、特に問題がなければ、設けられなくてもよい。
【０１０５】
また、ホルダー部１１２はＴＰＵで作られているものとしたが、特に問題がなければ、他のいかなる素材で作られてもよい。
【０１０６】
また、ホルダー部１１２のソールアセンブリ１１１と係合する部分はソールアセンブリ１１１のホルダー部１１２と係合する部分と比較して硬いものとしたが、本発明はこれに限定されるものではない。したがって、ホルダー部１１２と比較してソールアセンブリ１１１の方が硬くてもよい。
【０１０７】
また、ホルダー部１１２の底面には複数の孔があいているものとしたが、本発明はこれに限定されるものではない。したがって、当該底面に単一の孔があいていてもよいし、全く孔があいていなくてもよい。
【０１０８】
また、靴１はあくまでも履物の一例であって、本発明を限定するものではない。したがって、上述したようにサンダルのようなものも本発明の技術的思想の範囲内に入り得る。また、第１のソール部１１１１の爪先側上部と、第２のソール部１１１２の踵側上部に高さのある半円筒形状の甲皮部１２を各々一体成形したり、同様の形状の甲皮部１２を皮革等の素材で作り、第１のソール部１１１１および第２のソール部１１１２に縫いつけたりすることにより、ブーツ等の様々な形状の靴１を構成するようにしてもよい。
【０１０９】
甲皮部１２に高さが生じると、第１のソール部１１１１の爪先側上部に設けられた甲皮部１２の一部と、第２のソール部１１１２の踵側上部に設けられた甲皮部１２の一部が使用時に分離しやすくなる。そのような分離を回避するために、これらの甲皮部１２を構成する２つのパーツを互いに着脱可能に連結する連結機構を設けるようにしてもよい。図５は、そのような連結機構を備えた靴１の外観を模式的に示した図である。
【０１１０】
図５において、第１のソール部１１１１の爪先側上部に設けられた甲皮部１２の一部は前方パーツ１２１、第２のソール部１１１２の踵側上部に設けられた甲皮部１２の一部は後方パーツ１２２として示されている。なお、図５においてソールアセンブリ１１１はホルダー部１１２にカバーされ見えない。前方パーツ１２１と後方パーツ１２２は、連結機構１３により互いに連結される。なお、図５において見えない反対側（図５に示されるものが内踝側であるとすれば、外踝側）も同様に連結機構１３により前方パーツ１２１と後方パーツ１２２が互いに連結される。
【０１１１】
なお、図５に例示した靴１においては、連結機構１３は後方パーツ１２２の外側表面に縫いつけられたボタンを前方パーツ１２１に設けられたボタンホールに通すことでそれらのパーツを着脱可能に連結するが、連結機構１３が前方パーツ１２１と後方パーツ１２２を互いに着脱可能に連結する機構はボタンとボタンホールによるものに限られない。例えば、ボタンとボタンホールに代えて、線ファスナーや面ファスナーが連結機構１３として採用されてもよいし、複数の紐孔に紐を通し結ぶ方式が連結機構１３として採用されてもよい。
【０１１２】
また、上述した靴１の組み立て方法はあくまでも一例であって、本発明を限定するものではない。
【０１１３】
（変形例）
上述した実施形態の変形例について、図面を用いて説明する。なお、当該変形例も、当然に本発明の技術的思想の範囲内に含まれるものである。以下、上述した実施形態との差異を中心に説明する。
【０１１４】
図６は、上述した実施形態と本変形例との違いを説明する図である。
【０１１５】
図６（ａ）に模式的に示されるように、上述した実施形態においては、第１のソール部１１１１が爪先付近で上下方向に貫通する孔を有し、第２のソール部１１１２が当該孔を貫通し、第２のソール部１１１２の爪先側の部分の少なくとも一部が第１のソール部１１１１の下側に接するように位置し、第２のソール部１１１２の踵側の部分の少なくとも一部が第１のソール部の上側に接するように位置した状態で、第１のソール部１１１１と第２のソール部１１１２とが係合している。
【０１１６】
これに対し、本変形例においては、図６（ｂ）に模式的に示されるように、第２のソール部１１１２が爪先付近で上下方向に貫通する孔を有し、第１のソール部１１１１の踵側の部分の少なくとも一部が第２のソール部１１１２の下側に接するように位置し、第１のソール部１１１１の爪先側の部分の少なくとも一部が第２のソール部１１１２の上側に接するように位置した状態で、第１のソール部１１１１と第２のソール部１１１２とが係合する。
【０１１７】
このように、第１のソール部１１１１と第２のソール部１１１２との係合の仕方に様々なバリエーションがあることによって、通常の靴を組み立てる場合やサンダルを組み立てる場合等色々な状況に対して好適な構成を選択することが可能である。
【産業上の利用可能性】
【０１１８】
本発明にかかる履物は、緩みのない安定性および高いファッション性によって様々なシチュエーションで利用されることが期待でき、いわゆる生産業に貢献すると考えられる。
【符号の説明】
【０１１９】
１…靴、１１…ソール・ホルダーアセンブリ、１２…甲皮部、１３…連結機構、１１１…ソールアセンブリ、１１１１…第１のソール部、１１１１１…第１のインナーソール、１１１１２…第１のアウターソール、１２１…前方パーツ、１２２…後方パーツ、１１１２…第２のソール部、１１１２１…第２のインナーソール、１１１２２…第２のアウターソール、１１１３…ピン、１１２…ホルダー部
【図１】
2011136111.tif 000003
【図２】
2011136111.tif 000004
【図３】
2011136111.tif 000005
【図４】
2011136111.tif 000006
【図５】
2011136111.tif 000007
【図６】
2011136111.tif 000008